(57)【要約】【課題】正確且つ利便性の高い管理区域への入退室管理システムを提供する。【解決手段】作業者が管理区域であるA区域に入室する過程で、入室検出用無線タグ読取装置４が作業者識別用無線タグ3から作業者情報を読取り、管理装置に送信する。管理装置は、当該作業者の居場所が変化したと判定し、当該作業者の居場所を新たにA区域として登録する。同時に、入室者検出表示盤６に、入室検出された作業者の氏名が表示される。このことにより、作業者は、自身の居場所が管理装置において、正しくA区域と登録されたことを確認出来る。【選択図】図１
2006344158.tif 000002
【特許請求の範囲】
【請求項１】
管理区域と非管理区域への作業者の入退室を管理する入退室管理システムであって、
作業者識別用の無線タグを装着した作業者が前記管理区域への入室の際に、前記無線タグの情報を読取る第１の読取装置と、
作業者識別用の無線タグの情報を作業者が前記管理区域から前記非管理区域へと退室の際に、前記無線タグの情報を読取る第２の読取装置と、を備え、
前記第１及び／又は前記第２の読取装置の読み取り情報から、作業者の入退室方向を検出することを特徴とする入退室管理システム。
【請求項２】
管理区域と非管理区域への作業者の入退室を管理する入退室管理システムであって、
作業者識別用の無線タグを装着した作業者が前記管理区域への入室の際に、前記無線タグの情報を読取る第１の読取装置と、
作業者識別用の無線タグの情報を作業者が前記管理区域から前記非管理区域へと退室の際に、前記無線タグの情報を読取る第２の読取装置と、
前記第１及び／又は前記第２の読取装置の読み取り情報を受けて、作業者の居場所を判別する管理装置と、
この管理装置での管理状況に応じた表示を行う表示装置、
を備えたことを特徴とする入退室管理システム。
【請求項３】
前記管理区域の入退室口の他に、該管理区域内に作業者の装着した無線タグ情報を読取る第１の読取装置を配設し、該非管理区域に作業者の装着した無線タグ情報を読取る第２の読取装置を配設することで、作業者の入退室検出を二系統で管理することを特徴とする請求項１又は２記載の入退室管理システム。
【請求項４】
前記第２の読取装置は、前記非管理区域内に設けた特定区域に配設されることを特徴とする請求項３記載の入退室管理システム。
【請求項５】
前記表示装置は、作業者の前記管理区域への入室を検出した際に、該作業者を識別する情報を表示する入室者検出表示盤と、作業者の前記管理区域からの退室を検出した際に、該作業者を識別する情報を表示する退室者検出表示盤と、
から成ることを特徴とする請求項２乃至４のいずれか１項に記載の入退室管理システム。
【請求項６】
前記管理区域内に、現在の入室者一覧を表示する入室者一覧表示盤を配設し、該管理区域に入室している作業者が入退室管理システムでの管理状況を確認出来ることを特徴とする請求項２乃至５のいずれか１項に記載の入退室管理システム。
【発明の詳細な説明】
【技術分野】
【０００１】
本発明は、入退室管理システムに関するものである。
【背景技術】
【０００２】
近年、高度情報化に伴う企業内等におけるセキュリティ確保の重要性から、特定の部屋等に対する入退室を厳しく管理する入退室管理装置及び入退室管理システムが種々開発されている。 
一般的に、工場等には、消火装置他を設置した特定管理区域が設けられている。この様な特定管理区域においては、人員の安全確保の為に、その管理区域に入室している人員を正確に把握する必要がある。特定管理区域に入室している人員を把握する方式として、古くは作業者が管理区域へ入室する際及び管理区域から退室する際、作業者自身が入退室登録操作を行う事により管理区域に入っている人数のみ管理する方式から、最近では無線タグと入退室方向検出ゲートを組み合わせる等により、自動的に入退室登録を行う方式がある。
【０００３】
図3及び図4に、従来の手動方式入退室管理システムの概要を示す。作業者は、管理区域であるA区域へ入室する際、入退室口３１または入退室口３２に設置された入退室操作盤３３にて「入室」ボタンを1回押して入室人数表示を一人増やし、管理区域から退室する際は、「退室」ボタンを1回押し、入室人数表示を一人減らす。この操作の繰り返しにより管理区域内への入室者人数を把握し、必要により管理区域外部に設置される入室者人数表示盤３４に入室者人数を表示する。
【０００４】
しかし、このシステムの場合、作業者による操作の正確性に頼るものであり、作業者が入退室の際入退室操作を忘れる、または入退室の重複操作を行う等の誤操作により、入室人数表示の信頼性が低くなる。
【０００５】
図5及び図6に、従来の自動方式入退室管理システムの概要を示す。この管理システムでは、作業者は作業者識別用無線タグ５３を身につけ、管理区域への入退室口５１，５２に設置される入退室検出用無線タグ読取装置５４、光電センサー等を利用した入退室方向検出ゲート５５から成る。作業者が管理区域の入退室口５１に来ると、入退室検出用無線タグ読取装置５４により作業者が身に付けている作業者識別用無線タグ５３の情報を、図示しない読取り管理システムヘ送信する。同時に作業者が入退室方向検出ゲート５５を通過した際、入退室方向検出ゲート５５から管理システムヘ作業者の入退室方向が送信される。管理システムは、この2つの情報から各々の作業者の管理区域への入退室を記録する（例えば、特許文献１参照）。
【特許文献１】特開平６−１６８３６６号公報
【発明の開示】
【発明が解決しようとする課題】
【０００６】
一般的な入退室管理は、管理区域への入室を制限するセキュリティを主目的とするものが多い。そのため、所定の管理区域内に入室している人員を如何に正確に管理するかという要請に対しては、上述した入退室管理システムの場合、複数の入室者及び退室者が同時に入退室方向検出ゲート５５に差し掛かる場合などでは、各々の作業者の入退室方向を正確に判別する事が難しく、入退室管理情報の信頼性が低くなるという問題があった。
【０００７】
そこで、本発明の目的は、管理区域への入退室管理において入退室者が入退室の際特別な動作をすることなく入退室管理が自動的に行われ、正確且つ利便性の高い管理区域への入退室管理システムを提供するものである。
【課題を解決するための手段】
【０００８】
本願発明の一態様によれば、管理区域と非管理区域への作業者の入退室を管理する入退室管理システムであって、作業者識別用の無線タグを装着した作業者が前記管理区域への入室の際に、前記無線タグの情報を読取る第１の読取装置と、作業者識別用の無線タグの情報を作業者が前記管理区域から前記非管理区域へと退室の際に、前記無線タグの情報を読取る第２の読取装置と、を備え、前記第１及び／又は前記第２の読取装置の読み取り情報から、作業者の入退室方向を検出することを特徴とする入退室管理システムが提供される。
【０００９】
また、本願発明の別の一態様によれば、管理区域と非管理区域への作業者の入退室を管理する入退室管理システムであって、作業者識別用の無線タグを装着した作業者が前記管理区域への入室の際に、前記無線タグの情報を読取る第１の読取装置と、作業者識別用の無線タグの情報を作業者が前記管理区域から前記非管理区域へと退室の際に、前記無線タグの情報を読取る第２の読取装置と、前記第１及び／又は前記第２の読取装置の読み取り情報を受けて、作業者の居場所を判別する管理装置と、この管理装置での管理状況に応じた表示を行う表示装置、を備えたことを特徴とする入退室管理システムが提供される。
【００１０】
前記管理区域の入退室口の他に、該管理区域内に作業者の装着した無線タグ情報を読取る第１の読取装置を配設し、該非管理区域に作業者の装着した無線タグ情報を読取る第２の読取装置を配設することで、作業者の入退室検出を二系統で管理することが好ましい。
【００１１】
また、前記表示装置は、作業者の前記管理区域への入室を検出した際に、該作業者を識別する情報を表示する入室者検出表示盤と、作業者の前記管理区域からの退室を検出した際に、該作業者を識別する情報を表示する退室者検出表示盤と、から成ることが好ましい。
【発明の効果】
【００１２】
本発明によれば、管理区域への入退室管理において入退室者が入退室の際特別な動作をすることなく入退室管理が自動的に行われ、正確且つ利便性の高い管理区域への入退室管理システムが提供される。
【発明を実施するための最良の形態】
【００１３】
以下、本発明の実施の形態に係る入退室管理システムについて、図面を参照しながら説明する。尚、各図において同一箇所については同一の符号を付すとともに、重複した説明は省略する。
【００１４】
図1に、本発明の実施形態に係る入退室管理システムの全体構成を示す。
【００１５】
この実施形態では、複数の入退室口を備えた所定の管理区域への入退室管理を例にしているが、それに限定されるものではない。
【００１６】
まず、全体のエリアは作業者の入退室管理を行うA区域と、それ以外のＢ区域に大別される。Ｂ区域には、本入退室管理システムのバックアップを意図した特定Ｂ区域が設定されている。この特定Ｂ区域は、例えばオペレータルームや、作業者のミーティングルームが好適である。
【００１７】
A区域での入退室管理は、例えば誰がいつA区域に入室し、いつA区域から退室したか、現在誰と誰の計何名がA区域に入室中であるか等である。
【００１８】
管理区域であるA区域に入退室するため、入退室口１、入退室口２が設けられている。
【００１９】
A区域あるいはＢ区域で作業する作業者は、それぞれ作業者識別用無線タグ3を身につけている。
【００２０】
無線タグは、無線データキャリアの一種であり、送受信可能なタグアンテナとＩＣチップとを基板に一体成形した独立の部品である。ＩＣチップには、タグアンテナで受信した変調電波を復調して制御部へ送出する復調部、制御部から送出されたデータを変調してタグアンテナに送出する変調部、復調部で復調されたデータのメモリへの書き込みやメモリから送信データを読み出して変調部へ送出する制御部及びメモリが設けられている。
【００２１】
メモリは、当該無線タグの製造段階で製造業者により割当て設定された固有の無線ＩＤを記憶する無線ＩＤエリアと、ユーザが任意のデータを書き込むことができるユーザエリアとから成る。ユーザエリアには当該無線タグが貼付された物品あるいは装着している人物の固有の追跡管理用コードが記録されている。
【００２２】
無線タグには電池内蔵のアクティブ型無線タグと、電池なしで電波からのエネルギで動作するパッシブ型無線タグがあるが、本実施形態では、１０ｍ近くの通信距離が確保できるアクティブ型無線タグが好適である。
【００２３】
この作業者識別用無線タグ3は、例えば作業者の出退勤用タイムカード等と併設して保管・管理することにより、電池の充電や装着忘れを防ぐことができる。
【００２４】
入退室口１、入退室口２には、入室検出用無線タグ読取装置４、退室検出用無線タグ読取装置５、入室者検出表示盤６、退室者検出表示盤７がそれぞれ配設されている。
【００２５】
無線タグ読取装置１，２は、送受信アンテナを具備しており、この送受信アンテナの交信エリア内にある無線タグのメモリデータを非接触で読み取るものである。例えば無線タグ読取装置は、図示しないパソコン等の上位装置に接続され、データの授受を行うインタフェース部と、無線タグとの通信や接続するハードウエアを制御するＣＰＵ、動作プログラムを記憶したＲＯＭ、データを一時的に記憶するＲＡＭ等で構成される制御部と、制御部から与えられるデータを無線通信に適した変調信号に変調する変調部と、変調信号を増幅して送受信アンテナから電波として放射させる送信アンプと、アンテナユニットで受信した電波信号を増幅する受信アンプと、増幅された電波信号からデータを復調して制御部に与える復調部とから構成することができる。
【００２６】
無線タグとの交信を行う際には、まず、キヤリア信号を送信部で変調して電力用電波信号として送信アンテナから送信し、その後、送信すべきデータを電力用電波信号に重畳するように送信部で変調して送信アンテナから送信する。
【００２７】
A区域（管理区域）には、入室検出用無線タグ読取装置４、入室者一覧表示盤８が配設されている。
【００２８】
管理区域外のＢ区域には、所定の特定Ｂ区域が設けられている。この特定Ｂ区域には、
退室検出用無線タグ読取装置５と入室者一覧表示盤８が配設されている。
【００２９】
図２は、本発明の実施形態にかかる入退室管理システムの入退室判定機能を説明する図である。図２に示すように、作業者識別用無線タグ3を身につけた作業者は、処理すべき作業に応じてＡ区域とＢ区域とを行き交う。ここで、入室検出用無線タグ読取装置1と退室検出用無線タグ読取装置2は、一つの作業者識別用無線タグ3を同時に検出しない距離Lだけ離して設置されている。
【００３０】
B区域に居る作業者が入退室口に接近すると、まず退室検出用無線タグ読取装置５が作業者識別用無線タグ3から作業者情報を読取り、管理装置（図示しない）に送信する。管理装置は、その作業者の居場所をB区域として登録する。
【００３１】
次に、作業者が管理区域であるA区域に入室する過程で、入室検出用無線タグ読取装置４が作業者識別用無線タグ3から作業者情報を読取り、管理装置に送信する。
【００３２】
管理装置は、当該作業者の居場所が変化したと判定し、当該作業者の居場所を新たにA区域として登録する。同時に、入室者検出表示盤６に、例えば入室検出された作業者の氏名が表示される。このことにより、作業者は、自身の居場所が管理装置において、正しくA区域と登録されたことを確認出来る。尚、無線タグ３からの情報読み取りが成功しなければ、作業者は再度、入室検出用無線タグ読取装置４に近づくことにより、やり直しができる。
【００３３】
次に、A区域に居る作業者が退室する為に入退室口に接近すると、まず入室検出用無線タグ読取装置４が作業者識別用無線タグ3から作業者情報を読取り、管理装置に送信する。この際、管理装置は、その作業者の居場所登録が元々A区域であれば、重複する登録処理は行わない。引き続き作業者が退室する過程で、退室検出用無線タグ読取装置５が作業者識別用無線タグ3から作業者情報を読取り、管理装置に送信する。管理装置は、作業者の居場所が元々A区域であれば、新たに作業者の居場所をB区域として登録する。同時に、退室者検出表示盤７に、例えば退室検出された作業者の氏名が表示されるので、作業者は、自身の居場所が管理装置上、正しくB区域と登録されたことを確認出来る。尚、無線タグ３からの情報読み取りが成功しなければ、作業者は再度、退室検出用無線タグ読取装置５に近づくことにより、やり直しができる。
【００３４】
本発明の実施形態にかかる入退室管理システムでは、作業者の入退室方向を判定する為に特別な移動方向検出ゲートを使用しないので、複数の作業者が同時に入室又は退室及び双方向の移動を行っても、各々の作業者の移動方向を正確に検出することが可能である。
【００３５】
安全性、確実性を期するため、本実施の形態では、二重系にシステムを構築している。すなわち、管理区域A区域に設置される入室検出用無線タグ読取装置４は、作業者が付近を通過する際、作業者識別用無線タグ3から作業者情報を読取り管理装置に送信する。管理装置は、その作業者の居場所が元々A区域であれば重複する登録処理は行わないが、元々B区域であれば変化したと判定して新たにA区域として登録する。これは、入室登録のバックアップ処理であり、入退室管理システムの信頼性を向上させている。
【００３６】
さらに、管理区域A区域に設置される入室者一覧表示盤８には、管理装置において、入室登録されている作業者の氏名が一覧表示される。作業者は、自身が入室者として表示されていることを視認することにより、自身の居場所が管理装置において、正しく登録されていることを再確認出来る。これには、作業者に安心感を与える効果がある。
【００３７】
管理区域外であるＢ区域の特定Ｂ区域に設置される退室検出用無線タグ読取装置５は、作業者が付近を通過する際、作業者識別用無線タグ3から作業者情報を読取り、管理装置に送信する。管理装置は、その作業者の居場所が元々B区域であれば重複する登録処理は行わないが、元々A区域であれば変化したと判定して新たにB区域として登録する。これは、退室登録のバックアップ処理であり、入退室管理システムの信頼性を向上させる。
【００３８】
管理区域外の特定Ｂ区域に設置される入室者一覧表示盤８には、管理装置において、入室登録されている作業者の氏名が一覧表示される。作業者の監督者等は、この表示により管理区域A区域内で作業中の作業者に関し、その人数及び具体的な氏名を把握する事が出来る。
【００３９】
以上の本発明の実施形態に関する説明は、工場内のある程度狭い範囲を想定したものであるが、その他の適用例としては、範囲を拡げ地下工事現場、鉱山トンネル等特定の範囲に対し限られた入退室口がある場所で使用可能である。また、応用例としては、複数の管理区域が連なる場合にも各々の作業者がどの管理区域に居るかを管理する事が可能である。
【００４０】
本発明は上記した実施の形態に限定されることなく、特許請求の範囲に記載した発明の範囲内で、種々の変形が可能であり、それらも本発明の範囲内に含まれるものであることはいうまでもない。
【図面の簡単な説明】
【００４１】
【図１】本発明の実施の形態に係る入退室管理システムの構成を示す図である。
【図２】新方式管理区域入退室検出を説明する図である。
【図３】従来の手動方式管理区域入退室管理システムの構成を示す図である。
【図４】従来の手動方式管理区域入退室操作を説明する図である。
【図５】従来の自動方式管理区域入退室管理システムの構成を示す図である。
【図６】従来の自動方式管理区域入退室検出機能を説明する図である。
【符号の説明】
【００４２】
１，２・・・入退室口、３・・・作業者識別用無線タグ、４・・・入室検出用無線タグ読取装置、５・・・退室検出用無線タグ読取装置、６・・・入室者検出表示盤、７・・・退室者検出表示盤、８・・・入室者一覧表示盤、３１，３２，５１，５２・・・入退室口、３３・・・入退室操作盤、３４・・・入室者人数表示盤、５３・・・作業者識別用無線タグ、５４・・・入退室検出用無線タグ読取装置、５５・・・入退室方向検出ゲート。
【図１】
2006344158.tif 000003
【図２】
2006344158.tif 000004
【図３】
2006344158.tif 000005
【図４】
2006344158.tif 000006
【図５】
2006344158.tif 000007
【図６】
2006344158.tif 000008